(57)【要約】【課題】オフィス等で使用される様々な電気機器による無駄な電力消費を抑制することが可能な電力供給制御システムを提供する。【解決手段】本発明に係る電力供給制御システムは、第１周波数帯信号を送信する送信機と、前記送信機からの第１周波数帯信号に呼応して第２周波数帯信号を送信するタグと、接続する外部機器へ電力供給を行うための電源供給装置と、コントローラとを備える電力供給制御システムであって、前記コントローラは、前記タグからの第２周波数帯信号を受信する受信手段と、前記受信手段により、第２周波数帯信号が受信されたか否かを判定する判定手段と、前記判定手段により第２周波数帯信号が受信されなかった旨の判定がなされたことを含む一定条件を満たす場合に、前記電源供給装置へ所定の制御信号を送信する制御信号送信手段とを備え、前記電源供給装置は、前記制御信号を受信した際に、前記外部機器への電力供給を停止する。【選択図】図１
2012055097.tif 000002
【特許請求の範囲】
【請求項１】
第１周波数帯信号を送信する送信機と、ユーザに所持され、前記送信機からの第１周波数帯信号を受信可能なエリアに存在する場合に、当該第１周波数帯信号に呼応して第２周波数帯信号を送信するタグと、接続する外部機器へ電力供給を行うための電源供給装置と、コントローラとを備える電力供給制御システムであって、
前記コントローラは、
前記タグからの第２周波数帯信号を受信する受信手段と、
前記受信手段により、第２周波数帯信号が受信されたか否かを判定する判定手段と、
前記判定手段により第２周波数帯信号が受信されなかった旨の判定がなされたことを含む一定条件を満たす場合に、前記電源供給装置へ所定の制御信号を送信する制御信号送信手段とを備え、
前記電源供給装置は、前記制御信号を受信した際に、前記外部機器への電力供給を停止する
ことを特徴とする電力供給制御システム。
【発明の詳細な説明】
【技術分野】
【０００１】
本発明は、電源タップに接続する外部機器に対する電力供給を制御する技術に関する。
【背景技術】
【０００２】
ＬＦ帯の信号を定期的に送信する送信機とタグとを用いて、タグを所持する者の所在を管理する所在管理システムが知られている（例えば、特許文献１、２）。
送信機からのＬＦ帯の信号を受信したタグは、自機の識別情報を含むＵＨＦ帯の信号を送信するため、このタグの識別情報を用いてタグを所持する者の所在を管理することができる。
【０００３】
また、この所在管理システムで管理する所在情報を用いることで、空調や照明を制御する設備制御システムも知られている。
この設備制御システムによれば、タグを所持する人が存在するオフィス等のエリアでのみエアコンを稼動させ、そのエリアでのみ照明を点灯させるよう制御することができる。従って、人がわざわざ空調や照明の稼動を停止させる操作を行うことなく、不要な空調や照明の稼動を停止させ、省エネを図ることができる。
【先行技術文献】
【特許文献】
【０００４】
【特許文献１】特開２００８−１７７７７５号公報
【特許文献２】特開２００８−１８２５６６号公報
【発明の概要】
【発明が解決しようとする課題】
【０００５】
ところで、オフィス等では、空調や照明以外にも、様々な電気機器が使用されており、これらの電気機器による無駄な電力消費も抑制したいという要望がある。
そこで、本発明は係る問題に鑑みてなされたものであり、オフィス等で使用される様々な電気機器による無駄な電力消費を抑制することが可能な電力供給制御システムを提供することを目的とする。
【課題を解決するための手段】
【０００６】
上記課題を解決するために本発明に係る電力供給制御システムは、第１周波数帯信号を送信する送信機と、ユーザに所持され、前記送信機からの第１周波数帯信号を受信可能なエリアに存在する場合に、当該第１周波数帯信号に呼応して第２周波数帯信号を送信するタグと、接続する外部機器へ電力供給を行うための電源供給装置と、コントローラとを備える電力供給制御システムであって、前記コントローラは、前記タグからの第２周波数帯信号を受信する受信手段と、前記受信手段により、第２周波数帯信号が受信されたか否かを判定する判定手段と、前記判定手段により第２周波数帯信号が受信されなかった旨の判定がなされたことを含む一定条件を満たす場合に、前記電源供給装置へ所定の制御信号を送信する制御信号送信手段とを備え、前記電源供給装置は、前記制御信号を受信した際に、前記外部機器への電力供給を停止することを特徴とする。
【発明の効果】
【０００７】
上記構成を備える本発明に係る電力供給制御システムによれば、オフィス等で使用される様々な電気機器による無駄な電力消費を抑制することができる。
【図面の簡単な説明】
【０００８】
【図１】電力供給制御システム１０００のシステム構成図
【図２】コントローラ１０１ａの主要部の機能構成を示すブロック図
【図３】ＬＦ送信機１０２ａの主要部の機能構成を示すブロック図
【図４】タグ５００の主要部の機能構成を示すブロック図
【図５】電源タップ１０５ａの主要部の機能構成を示すブロック図
【図６】制御対象テーブル３３５及び受信フラグテーブル３３６のデータ構成及び内容例を示す図
【図７】コントローラ１０１ａによる制御信号送信処理を示すフローチャート
【図８】電源タップ１０５ａによる制御処理を示すフローチャート
【図９】エリア１０７ａに存在する各機器の動作を説明するためのタイミングチャート
【図１０】制御対象テーブル３３７のデータ構成及び内容例を示す図
【発明を実施するための形態】
【０００９】
≪実施の形態≫
以下、本発明に係る電力供給制御システムの一実施形態について、図面を参照しながら説明する。
＜構成＞
＜電力供給制御システム＞
まず、実施の形態に係る電力供給制御システム１０００の構成について説明する。
【００１０】
図１は、電力供給制御システム１０００のシステム構成図である。
電力供給制御システム１０００は、あるオフィスの従業員それぞれが１台ずつ所持しているタグからの信号に基づいて、各従業員の席（机）に設置された電源タップに接続している電気機器への電力供給を制御するものである。
電力供給制御システム１０００は、コントローラ１０１ａ、１０１ｂと、ＬＦ送信機１０２ａ〜１０２ｈ、電源タップ１０５ａ〜１０５ｈ、サーバ１０８、及び図示しないタグを含んで構成されている。
【００１１】
ここで、同図において破線で示すエリア１０７ａ、１０７ｂは、オフィス内の異なる部署Ａ、Ｂのエリアを示している。各エリア内に設置されている機器等は同様であるため、以下では、エリア１０７ａの場合を例に説明する。
エリア１０７ａには、部署Ａの所属員用の机１０３ａ〜１０３ｄと椅子１０４ａ〜１０４ｄが配置されており、各机には、それぞれ１台ずつ、ＬＦ送信機と、電源タップと、電気機器とが設置されている。
【００１２】
なお、各机に設置されている電源タップのメス側コンセントには、電気機器からのオス側コンセントが接続されているが、同図においては、図示を省略している。
また、コントローラ１０１ａ、１０１ｂは、各エリア１０７ａ、１０７ｂに１台ずつ設置されており、各コントローラ（１０１ａ、１０１ｂ）は、イーサネット（登録商標）ケーブル１００により、各コントローラを管理するサーバ１０８に接続されている。
【００１３】
各ＬＦ送信機（１０２ａ〜１０２ｄ）は、コントローラ１０１ａからＵＨＦ帯で送信されるビーコン信号の受信を契機に、送信タイミングが重ならないように、自機の識別情報（以下、「送信機ＩＤ」という）を含ませたＬＦ帯（例えば１２０ｋＨｚ〜１３０ｋＨｚ帯）の信号（以下、「ＬＦ帯信号」ともいう）を無線送信するものである。
部署Ａの所属員が自分の椅子（例えば、椅子１０４ａ）に着席すると、その人の所持するタグは、ＬＦ送信機１０２ａからのＬＦ帯信号に呼応して、そのＬＦ帯信号に含まれているＬＦ送信機１０２ａの送信機ＩＤと、自機の識別情報（以下、「タグＩＤ」という）とを含ませたＵＨＦ帯（例えば３００ＭＨｚ）の信号（以下、「ＵＨＦ帯信号」ともいう）を送信する。
【００１４】
また、コントローラ１０１ａは、エリア１０７ａ内の各ＬＦ送信機及び各電源タップ（１０５ａ〜１０５ｄ）を管理しており、上述のビーコン信号の送信を行う他、タグからのＵＨＦ帯信号の受信の有無に応じて、各机（１０３ａ〜１０３ｄ）に配置されている各電源タップから各電気機器への電力供給を制御する。
このコントローラ１０１ａによる制御の結果、部署Ａの所属員が自分の席に着くと、その席の机に設置されている電気機器への電力供給が開始され、その人が離席すると、その席の机に設置されている機器への電力供給が停止されるようになる。
【００１５】
従って、机単位で各机に配置されている電気機器への電力供給を制御でき、省エネを図ることができる。
なお、同図では、２つのエリア（１０７ａ、１０７ｂ）が存在するものとして説明したが、エリアの数は１つでもよいし、３つ以上であってもよい。
以下、コントローラ、ＬＦ送信機、タグ、電源タップの構成について説明するが、各コントローラ（１０１ａ、１０１ｂ）、各ＬＦ送信機（１０２ａ〜１０２ｈ）、各タグ、各電源タップ（１０５ａ〜１０５ｈ）の構成は同様であるため、コントローラ１０１ａ、ＬＦ送信機１０２ａ、タグ５００、電源タップ１０５ａを例に説明する。
【００１６】
＜コントローラ＞
図２は、コントローラ１０１ａの主要部の機能構成を示すブロック図である。
同図に示すように、コントローラ１０１ａは、ＵＨＦ帯通信部３１０と、ＵＨＦアンテナ３１１と、制御部３２０と、記憶部３３０とから構成される。
なお、コントローラ１０１ａは、図示しないメモリ及びプロセッサを含んでおり、制御部３２０の機能は、プロセッサがメモリ上のプログラムを実行することにより実現される。
【００１７】
ここで、ＵＨＦ帯通信部３１０は、ＵＨＦアンテナ３１１と接続し、制御部３２０の指示に従って、各ＬＦ送信機（１０２ａ〜１０２ｄ）へのビーコン信号を送信する機能を有する。また、ＵＨＦ帯通信部３１０は、各タグからのＵＨＦ帯信号を受信し、制御部３２０へ伝達する機能を有する。
制御部３２０は、ビーコン送信部３２１と、判定部３２２と、制御信号送信部３２３、電力量通知部３２４とから構成される。
【００１８】
ここで、ビーコン送信部３２１は、各ＬＦ送信機（１０２ａ〜１０２ｄ）にＬＦ帯信号の送信を指示するビーコン信号を所定間隔（例えば、７００ｍｓ毎）でＵＨＦ帯通信部３１０を介して送信する機能を有する。
判定部３２２は、ビーコン送信部３２１によるビーコン信号を送信してから所定時間内に、エリア１０７ａ内の各ＬＦ送信機（１０２ａ〜１０２ｄ）の送信機ＩＤを含む各ＵＨＦ帯信号をタグから受信したか否かを判定する機能を有する。なお、この所定時間は、上記ビーコン信号の送信間隔以下の時間であり、例えば、５００ｍｓであるものとする。
【００１９】
制御信号送信部３２３は、判定部３２２による判定結果に応じた内容の制御信号をＵＨＦ帯通信部３１０を介して送信する機能を有する。
ここで、制御信号は、エリア１０７ａ内の電源タップからその電源タップに接続する電気機器への電力供給の開始、停止を行うための信号であり、制御内容（電力供給の開始又は停止）を示す情報（以下、「コマンド」ともいう）と、制御対象となる電源タップの識別情報（以下、「タップＩＤ」ともいう）とを含む信号である。
【００２０】
以下では、コマンドが「電力供給の開始」を示す制御信号を「ＯＮ信号」ともいい、コマンドが「電力供給の停止」を示す制御信号を「ＯＦＦ信号」ともいう。
電力量通知部３２４は、エリア１０７ａ内の各電源タップ（１０５ａ〜１０５ｄ）からＵＨＦ帯通信部３１０を介して受信した電力値信号（後述する）に含まれる、その電源タップに接続する各電気機器の消費電力の合計値をサーバ１０８に通知する機能を有する。
【００２１】
記憶部３３０は、タグＩＤ表３３１、コントローラＩＤ３３２、送信ＵＨＦチャネル３３３、受信ＵＨＦチャネル３３４、制御対象テーブル３３５、受信フラグテーブル３３６を記憶するためのメモリ領域である。
これらのデータは、コントローラ１０１ａの運用開始時点において、電力供給制御システム１０００の管理者により、記憶部３３０に予め設定される。
【００２２】
ここで、タグＩＤ表３３１は、エリア１０７ａに対応する部署（部署Ａ）の所属員が保持するタグのタグＩＤを登録したものである。
コントローラＩＤ３３２は、コントローラ１０１ａの識別情報であり、コントローラ１０１ａが備えるディップスイッチなどの設定手段により設定された値を示すものとなる。
送信ＵＨＦチャネル３３３は、ＵＨＦ帯通信部３１０の送信用の無線ＵＨＦチャネル（送信周波数帯）を設定するための情報である。この送信ＵＨＦチャネル３３３を隣接するコントローラ間で異なるものに設定しておくことによりビーコン信号の衝突を回避することができる。
【００２３】
受信ＵＨＦチャネル３３４は、ＵＨＦ帯通信部３１０の受信用の無線ＵＨＦチャネル（受信周波数帯）を設定するための情報である。この受信ＵＨＦチャネル３３４を隣接するコントローラ間で異なるものに設定しておくことにより、各タグからのＵＨＦ帯信号の衝突を回避することができる。
制御対象テーブル３３５は、エリア１０７ａ内の各机（１０３ａ〜１０３ｄ）について、その机に設置されているＬＦ送信機の送信機ＩＤと、その机に設置されている電源タップのタップＩＤとを対応付けて登録したものである。
【００２４】
受信フラグテーブル３３６は、エリア１０７ａ内の各ＬＦ送信機（１０２ａ〜１０２ｄ）について、そのＬＦ送信機の送信機ＩＤを含むＵＨＦ信号をタグから受信したか否かを示す受信フラグを登録したものである。
＜ＬＦ送信機＞
図３は、ＬＦ送信機１０２ａの主要部の機能構成を示すブロック図である。
【００２５】
同図に示すように、ＬＦ送信機１０２ａは、ＵＨＦ帯受信部４００と、ＵＨＦアンテナ４０１と、ＬＦ帯送信部４１０と、ＬＦアンテナ４１１と、制御部４２０と、記憶部４３０とから構成される。
なお、ＬＦ送信機１０２ａは、図示しないメモリ及びプロセッサを含んでおり、制御部４２０の機能は、プロセッサがメモリ上のプログラムを実行することにより実現される。
【００２６】
ここで、ＵＨＦ帯受信部４００は、ＵＨＦアンテナ４０１と接続し、コントローラ１０１ａからのビーコン信号を受信し、制御部３２０へ伝達する機能を有する。
ＬＦ帯送信部４１０は、ＬＦアンテナ４１１と接続しており、制御部４２０の指示に従って、ＬＦアンテナ４１１を介してＬＦ帯信号をタグに送信する機能を有する。
制御部４２０は、ＵＨＦ帯受信部４００を介して、コントローラ１０１ａからのビーコン信号を受信してから、予め設定された時間後に、送信機ＩＤ４３１やこのＬＦ帯信号に呼応してタグから送信されるＵＨＦ帯信号の周波数帯（チャネル）を示す情報等を含ませたＬＦ帯信号を、ＬＦ帯送信部４１０を介して送信する機能を有する。
【００２７】
このビーコン信号を受信してからＬＦ帯信号を送信するまでの時間は、次にビーコン信号を受信するまでの時間より短く、かつ、エリア１０７ａ内の各ＬＦ送信機（１０２ａ〜１０２ｄ）間で異なるものになるように、ディップスイッチなどの設定手段により設定されている。
記憶部４３０は、送信機ＩＤ４３１を記憶するためのメモリ領域である。
【００２８】
＜タグ＞
図４は、タグ５００の主要部の機能構成を示すブロック図である。
同図に示すように、タグ５００は、ＬＦ帯受信部５１０と、ＬＦアンテナ５１１と、ＵＨＦ帯送信部５２０と、ＵＨＦアンテナ５２１と、制御部５３０と、記憶部５４０と、各部に電力を供給する電池５５０とから構成される。
【００２９】
なお、タグ５００は、図示しないメモリ及びプロセッサを含んでおり、制御部５３０の機能は、プロセッサがメモリ上のプログラムを実行することにより実現される。
ここで、ＬＦ帯受信部５１０は、ＬＦアンテナ５１１と接続し、ＬＦ送信機からのＬＦ帯信号を受信し、制御部５３０へ伝達する機能を有する。
ＵＨＦ帯送信部５２０は、ＵＨＦアンテナ５２１と接続し、制御部５３０の指示に従って、ＵＨＦ信号を送信する機能を有する。
【００３０】
制御部５３０は、ＬＦ帯受信部５１０を介してＬＦ送信機からのＬＦ帯信号を受信した際に、タグＩＤ５４１、送信機ＩＤ４３１等を含ませたＵＨＦ帯信号を、ＵＨＦ帯送信部５２０を介して送信する機能を有する。なお、このＵＨＦ帯信号の送信には、受信したＬＦ帯信号に含まれていた情報が示すＵＨＦ帯信号の周波数帯が用いられる。
記憶部５４０は、タグＩＤ５４１を記憶するためのメモリ領域である。
【００３１】
＜電源タップ＞
図５は、電源タップ１０５ａの主要部の機能構成を示すブロック図である。
電源タップ１０５ａは、複数のコンセント差込口であるメス側コンセント６０１ａ〜６０１ｃ毎に電力供給をＯＮ／ＯＦＦするためのスイッチ（ＳＷ）６０２ａ〜６０２ｃを設けた電源タップであり、オス側コンセント６０３を、屋内の壁面等に設置されている電源コンセントに接続することで、ＡＣ１００Ｖ電源を、各メス側コンセントに引き込み可能に構成されている。
【００３２】
電源タップ１０５ａは、上記メス側コンセント６０１ａ〜６０１ｃ、スイッチ（ＳＷ）６０２ａ〜６０２ｃ、及びオス側コンセント６０３の他、同図に示すように、電力計測部６１０ａ〜６１０ｃ、ＵＨＦ帯通信部６２０、ＵＨＦアンテナ６２１、記憶部６３０、供給制御部６４０、電力値取得部６５０、電力値送信部６６０、及び表示部６７０を備える。
【００３３】
電源タップ１０５ａは、図示しないメモリ及びプロセッサを含んでおり、供給制御部６４０、電力値取得部６５０、及び電力値送信部６６０の各機能は、プロセッサがメモリ上のプログラムを実行することにより実現される。
ここで、電力計測部６１０ａ〜６１０ｃは、対応するメス側コンセント（６０１ａ〜６０１ｃ）に接続する電気機器の消費電力を、対応するメス側コンセントとオス側コンセント６０３との間を流れる電流と電圧とを検出することで、計測する機能を有する。
【００３４】
ＵＨＦ帯通信部６２０は、ＵＨＦアンテナ６２１と接続し、コントローラ１０１ａからの制御信号（ＯＮ信号及びＯＦＦ信号）を受信し、供給制御部６４０及び電力値取得部６５０に伝達する機能を有する。
記憶部６３０は、タップＩＤ６３１を記憶するためのメモリ領域である。
供給制御部６４０は、ＵＨＦ帯通信部６２０を介してコントローラ１０１ａからタップＩＤ６３１を含む制御信号を受信した際に、その制御信号の内容に基づいて、オス側コンセント６０３から各メス側コンセント６０１ａ〜６０１ｃへの電力供給を制御する機能を有する。
【００３５】
即ち、供給制御部６４０は、オス側コンセント６０３から各メス側コンセント６０１ａ〜６０１ｃへの電力供給を、ＯＮ信号を受信した場合に開始し、ＯＦＦ信号を受信した場合に停止する。
電力値取得部６５０は、ＵＨＦ帯通信部６２０を介してコントローラ１０１ａからタップＩＤ６３１を含むＯＮ信号を受信してから、タップＩＤ６３１を含むＯＦＦ信号を受信するまでの間、繰り返し、各電力計測部（６１０ａ〜６１０ｃ）から消費電力を取得して合計値（以下、「電力値」ともいう）を算出し、算出した電力値を電力値送信部６６０及び表示部６７０に伝達する機能を有する。
【００３６】
電力値送信部６６０は、電力値取得部６５０から電力値を伝達される毎に、その電力値やタップＩＤ６３１等を含ませた電力値信号を、ＵＨＦ帯通信部６２０を介して送信する機能を有する。
表示部６７０は、液晶ディスプレイ（ＬＣＤ：Liquid Crystal Display）を含み、電力値取得部６５０から伝達された電力値に基づいて、その電力値に対応する文字等をＬＣＤに表示する機能を有する。
【００３７】
なお、ＯＦＦ信号を受信し、供給制御部６４０により、オス側コンセント６０３から各メス側コンセント６０１ａ〜６０１ｃへの電力供給を停止している場合でも、屋内の壁面等に設置されている電源コンセントにオス側コンセント６０３を接続している限り、ＵＨＦ帯通信部６２０、記憶部６３０、供給制御部６４０、電力値取得部６５０、電力値送信部６６０への電力供給は行われる。
【００３８】
＜データ＞
次に、コントローラ１０１ａで使用されるデータについて説明する。
＜制御対象テーブル＞
図６（ａ）は、制御対象テーブル３３５のデータ構成及び内容例を示す図である。
制御対象テーブル３３５は、同図に示すように、送信機ＩＤ３３５０と、タップＩＤ３３５１とを対応付けて構成される情報である。
【００３９】
ここで、送信機ＩＤ３３５０は、ＬＦ送信機の識別情報であり、タップＩＤ３３５１は、対応する送信機ＩＤを含むＵＨＦ帯信号に基づいて電力供給を制御すべき電源タップの識別情報である。
以下では、各ＬＦ送信機（１０２ａ〜１０２ｄ）の送信機ＩＤは、「０」〜「３」であるものとし、各電源タップ（１０５ａ〜１０５ｄ）のタップＩＤは、「０」〜「３」であるものとする。
【００４０】
同図は、例えば、タップＩＤが「０」である電源タップ（１０５ａ）の電力供給の制御に用いられるＵＨＦ帯信号に含まれる送信機ＩＤは「０」であることを示している。
＜受信フラグテーブル＞
図６（ｂ）は、受信フラグテーブル３３６のデータ構成及び内容例を示す図である。
受信フラグテーブル３３６は、同図に示すように、送信機ＩＤ３３６０と、受信フラグ３３６１とを対応付けて構成される情報である。
【００４１】
ここで、送信機ＩＤ３３６０は、ＬＦ送信機の識別情報であり、受信フラグ３３６１は、対応する送信機ＩＤを含むＵＨＦ帯信号を受信したか否かを示す情報であり、同図では、受信した場合を「ＯＮ」と表記し、受信していない場合を「ＯＦＦ」と表記している。
同図は、例えば、送信機ＩＤ「０」についての受信フラグは「ＯＮ」、つまり、送信機ＩＤ「０」を含むＵＨＦ帯信号をタグから受信しており、送信機ＩＤ「１」についての受信フラグは「ＯＦＦ」、つまり、送信機ＩＤ「１」を含むＵＨＦ帯信号についてはタグから受信していないことを示している。
【００４２】
＜動作＞
次に、上記構成を備え、上記データを取り扱う電力供給制御システム１０００の各機器の動作について説明する。
＜コントローラの動作＞
コントローラ１０１ａの動作について説明する。
【００４３】
図７は、コントローラ１０１ａによる制御信号送信処理を示すフローチャートである。
なお、特にフローチャートを用いて説明しないが、以下説明する制御信号送信処理とは非同期に、ビーコン送信部３２１はビーコン信号を繰り返し送信している。
また、エリア１０７ａ内の４台のＬＦ送信機（１０２ａ〜１０２ｄ）は、ビーコン信号を受信してから、１０２ａ、１０２ｂ、１０２ｃ、１０２ｄの順でＬＦ帯信号を送信するよう設定されているものとする。
【００４４】
また、コントローラ１０１ａにおける制御部３２０は、ビーコン送信部３２１がビーコン信号を送信してから、エリア１０７ａ内の４台のＬＦ送信機（１０２ａ〜１０２ｄ）のうち、最初にＬＦ帯信号を送信するＬＦ送信機（この例では１０２ａ）からのＬＦ帯信号を受信したタグが存在した場合に、そのタグからのＵＨＦ帯信号を受信し得るタイミングで、制御信号送信処理を開始するものとする。
【００４５】
制御信号送信処理を開始すると、制御部３２０の判定部３２２は、ループ処理（ステップＳ１、Ｓ１２）を、送信機ＩＤを示す値ｉを０として開始し（ステップＳ１）、送信機ＩＤ「ｉ」を含むタグからのＵＨＦ帯信号を受信したか否かを判定する（ステップＳ２）。
送信機ＩＤ「ｉ」を含むＵＨＦ帯信号を受信した場合に（ステップＳ２：ＹＥＳ）、判定部３２２は、記憶部３３０のタグＩＤ表３３１を参照し、受信したＵＨＦ帯信号に含まれているタグＩＤがタグＩＤ表３３１に存在するか否かを判定する（ステップＳ３）。
【００４６】
受信したＵＨＦ帯信号に含まれているタグＩＤがタグＩＤ表３３１に存在する場合に（ステップＳ３：ＹＥＳ）、制御信号送信部３２３は、記憶部３３０の受信フラグテーブル３３６を参照し、受信したＵＨＦ帯信号に含まれている送信機ＩＤ「ｉ」に対応付けて登録されている受信フラグが「ＯＦＦ」であるか否かを判定する（ステップＳ４）。
例えば、図６（ｂ）に示す受信フラグテーブル３３６の例では、ｉが「０」の場合、送信機ＩＤ「０」に対応する受信フラグは「ＯＮ」なので、否定的な判定（ステップＳ４：ＮＯ）がなされることになる。また、ｉが「１」の場合、送信機ＩＤ「１」に対応する受信フラグは「ＯＦＦ」なので、肯定的な判定（ステップＳ４：ＹＥＳ）がなされることになる。
【００４７】
ステップＳ４において、肯定的な判定がなされた場合（ステップＳ４：ＹＥＳ）、制御信号送信部３２３は、この判定に用いた受信フラグを「ＯＮ」に更新する（ステップＳ５）。
また、制御信号送信部３２３は、記憶部３３０の制御対象テーブル３３５を参照し、受信したＵＨＦ帯信号に含まれている送信機ＩＤ「ｉ」に対応付けて登録されているタップＩＤを取得する（ステップＳ６）。
【００４８】
制御信号送信部３２３は、取得したタップＩＤを含ませたＯＮ信号をＵＨＦ帯通信部３１０を介して送信する（ステップＳ７）。
ステップＳ７の処理を完了し、又は、ステップＳ４において、否定的な判定がなされた場合（ステップＳ４：ＮＯ）、エリア１０７ａ内の４台のＬＦ送信機（１０２ａ〜１０２ｄ）のうち、次にＬＦ帯信号を送信するＬＦ送信機からのＬＦ帯信号を受信したタグが存在した場合に、そのタグからのＵＨＦ帯信号を受信し得るタイミングで、ｉを１増加させて再びステップＳ１から処理を行う。
【００４９】
ステップＳ２において、否定的な判定がなされた場合（ステップＳ２：ＮＯ）、及びステップＳ３において、否定的な判定がなされた場合（ステップＳ３：ＮＯ）、制御信号送信部３２３は、記憶部３３０の受信フラグテーブル３３６を参照し、送信機ＩＤ「ｉ」に対応付けて登録されている受信フラグが「ＯＮ」であるか否かを判定する（ステップＳ８）。
【００５０】
送信機ＩＤ「ｉ」に対応付けて登録されている受信フラグが「ＯＮ」である場合（ステップＳ８：ＹＥＳ）、制御信号送信部３２３は、この判定に用いた受信フラグを「ＯＦＦ」に更新し（ステップＳ９）、記憶部３３０の制御対象テーブル３３５から、送信機ＩＤ「ｉ」に対応付けて登録されているタップＩＤを取得する（ステップＳ１０）。
制御信号送信部３２３は、取得したタップＩＤを含ませたＯＦＦ信号をＵＨＦ帯通信部３１０を介して送信する（ステップＳ１１）。
【００５１】
ステップＳ１１の処理を完了し、又は、ステップＳ８において、否定的な判定がなされた場合（ステップＳ８：ＮＯ）、エリア１０７ａ内の４台のＬＦ送信機（１０２ａ〜１０２ｄ）のうち、次にＬＦ帯信号を送信するＬＦ送信機からのＬＦ帯信号を受信したタグが存在した場合に、そのタグからのＵＨＦ帯信号を受信し得るタイミングで、ｉを１増加させて再びステップＳ１から処理を行う。
【００５２】
＜電源タップの動作＞
続いて、電源タップ１０５ａの動作について説明する。
図８は、電源タップ１０５ａによる制御処理を示すフローチャートである。
なお、以下説明する制御処理は、オス側コンセント６０３を、屋内の壁面等に設置されている電源コンセントに接続した際に開始され、開始時においては、オス側コンセント６０３から各メス側コンセント６０１ａ〜６０１ｃへの電力供給が停止しているものとして説明する。
【００５３】
電源タップ１０５ａの供給制御部６４０は、ＵＨＦ帯通信部６２０を介して記憶部６３０のタップＩＤ６３１を含むＯＮ信号を受信したか否かを判定し（ステップＳ２０）、受信していない場合には（ステップＳ２０：ＮＯ）、再びステップＳ２０の処理を行う。
タップＩＤ６３１を含むＯＮ信号を受信すると（ステップＳ２０：ＹＥＳ）、供給制御部６４０は、オス側コンセント６０３から各メス側コンセント６０１ａ〜６０１ｃへの電力供給を開始する（ステップＳ２１）。
【００５４】
この結果、ＳＷ６０２ａ〜６０２ｃのうち、「ＯＮ」になっているＳＷに対応するメス側コンセントに接続する電気機器への電力供給が行われることになる。
続いて、電力値取得部６５０は、各電力計測部（６１０ａ〜６１０ｃ）で計測された消費電力を取得して合計値（電力値）を算出し（ステップＳ２２）、電力値送信部６６０及び表示部６７０に伝達する。伝達された電力値に基づいて、表示部６７０は、ＬＣＤに電力値を表示する。
【００５５】
また、電力値送信部６６０は、伝達された電力値やタップＩＤ６３１等を含ませた電力値信号を、ＵＨＦ帯通信部６２０を介して送信する（ステップＳ２３）。
なお、コントローラ１０１ａにおける制御部３２０の電力量通知部３２４は、ステップＳ２３で送信された電力値信号を、ＵＨＦ帯通信部３１０を介して受信し、電力値信号に含まれている電力値及びタップＩＤ６３１をイーサネット（登録商標）ケーブル１００を介してサーバ１０８に送信し、サーバ１０８は、受信した電力値及びタップＩＤ６３１を受信日時等の情報と対応付けて管理する。
【００５６】
これにより、サーバ１０８において、電力供給制御システム１０００を構成する各電源タップに接続している電気機器での消費電力の履歴を一括して管理することができる。
続いて、供給制御部６４０は、ＵＨＦ帯通信部６２０を介してタップＩＤ６３１を含むＯＦＦ信号を受信したか否かを判定し（ステップＳ２４）、受信していない場合には（ステップＳ２４：ＮＯ）、電力値取得部６５０は、再びステップＳ２２から処理を行う。
【００５７】
また、タップＩＤ６３１を含むＯＦＦ信号を受信した場合には（ステップＳ２４：ＹＥＳ）、供給制御部６４０は、オス側コンセント６０３から各メス側コンセント６０１ａ〜６０１ｃへの電力供給を停止する（ステップＳ２５）。
この結果、ＳＷ６０２ａ〜６０２ｃの状態によらず、全てのメス側コンセント（６０１ａ〜６０１ｃ）に接続している電気機器への電力供給が行われなくなる。
【００５８】
ステップＳ２５の処理を完了すると、供給制御部６４０は、再びステップＳ２０から処理を行う。
＜具体例＞
電力供給制御システム１０００全体の動作について、図９に示す具体例を用いて説明する。
【００５９】
図９は、エリア１０７ａに存在する各機器の動作を説明するためのタイミングチャートである。
以下では、同図を用いて、コントローラ１０１ａのタグＩＤ表に存在するタグＩＤを記憶しているタグを所持する部署Ａの所属員が、椅子１０４ａに着席し、その後、離席した場合を例に、電力供給制御システム１０００全体の動作を説明する。
【００６０】
なお、同図では、送信機ＩＤがｉ（ｉ＝０〜３）であるＬＦ送信機を「ＬＦ送信機［ｉ］」と表記している。即ち、同図に示すＬＦ送信機［０］は、送信機ＩＤが０であるＬＦ送信機１０２ａを示している。同様に、同図では、タップＩＤが０である電源タップ１０５ａを「電源タップ［０］」と表記している。
また、同図に示すＴｄ０〜Ｔｄ３は、各ＬＦ送信機［０］〜［３］（１０２ａ〜１０２ｄ）に設定されている、ビーコン信号を受信してからＬＦ帯信号を送信するまでの時間を示している。
【００６１】
また、以下の説明を開始する時点で、受信フラグテーブル３３６の各受信フラグには「ＯＦＦ」が設定されているものとし、電源タップ［０］（１０５ａ）の供給制御部６４０は、オス側コンセント６０３から各メス側コンセント６０１ａ〜６０１ｃへの電力供給を停止しているものとする。
＜ＯＦＦからＯＮへ＞
まず、電源タップ［０］において停止していた電力供給が開始するまでの動作について説明する。
【００６２】
図９に示すように、コントローラ１０１ａにおける制御部３２０のビーコン送信部３２１が、ＵＨＦ帯通信部３１０を介してビーコン信号１０を送信する。
ＵＨＦ帯受信部４００を介して、このビーコン信号１０を受信した各ＬＦ送信機［０］〜［３］の制御部４２０は、記憶部４３０の送信機ＩＤ４３１を含ませたＬＦ帯信号を生成し、ビーコン信号１０の受信から予め設定されている時間だけ待って、ＬＦ帯送信部４１０を介して、生成したＬＦ帯信号を送信する。
【００６３】
例えば、ＬＦ送信機［０］は、ビーコン信号１０の受信から時間Ｔｄ０だけ待って、ＬＦ帯信号２０を送信する。
タグを所持する部署Ａの所属員が椅子１０４ａに着席するタイミングで、ＬＦ帯受信部５１０を介して、このＬＦ帯信号２０を受信したタグの制御部５３０は、ＬＦ帯信号２０に含まれているＬＦ送信機［０］の送信機ＩＤ「０」及び記憶部５４０のタグＩＤ５４１を含ませたＵＨＦ帯信号３０を生成し、ＵＨＦ帯送信部５２０を介して送信する。
【００６４】
コントローラ１０１ａにおける制御部３２０の判定部３２２は、送信機ＩＤ「０」及びタグＩＤ表に存在するタグＩＤを含むＵＨＦ帯信号３０を、ＵＨＦ帯通信部３１０を介して受信する（図７のステップＳ２：ＹＥＳ、Ｓ３：ＹＥＳ）。また、制御信号送信部３２３は、ＵＨＦ帯信号３０に含まれる送信機ＩＤ「０」と対応する受信フラグテーブル３３６の受信フラグが「ＯＦＦ」なので（ステップＳ４：ＹＥＳ）、この受信フラグを「ＯＮ」に更新し、制御対象テーブル３３５から、ＵＨＦ帯信号３０に含まれる送信機ＩＤ「０」と対応するタップＩＤ「０」を取得する（ステップＳ５、Ｓ６）。
【００６５】
また、制御信号送信部３２３は、取得したタップＩＤ「０」を含ませたＯＮ信号４０を生成し、ＵＨＦ帯通信部３１０を介して送信する（ステップＳ７）。
なお、コントローラ１０１ａにおける制御部３２０は、以降、ｉ＝１〜３についてループ処理（ステップＳ１、Ｓ１２）を行うが、この例では、送信機ＩＤ［１］〜［３］を含むタグからの各ＵＨＦ帯信号を受信せず（ステップＳ２：ＮＯ）、対応する受信フラグは「ＯＦＦ」であるため（ステップＳ８：ＮＯ）、制御信号送信部３２３による制御信号の送信は行われない。
【００６６】
また、ＵＨＦ帯通信部６２０を介して、タップＩＤ「０」を含むＯＮ信号４０を受信した電源タップ［０］（１０５ａ）の供給制御部６４０は、オス側コンセント６０３から各メス側コンセント６０１ａ〜６０１ｃへの電力供給を開始する（図８のステップＳ２０：ＹＥＳ、Ｓ２１）。
続いて、電源タップ［０］の電力値送信部６６０は、電力値取得部６５０で算出され伝達された電力値や記憶部６３０のタップＩＤ６３１を含ませた電力値信号５０を生成し、ＵＨＦ帯通信部６２０を介して送信する（ステップＳ２２、Ｓ２３）。
【００６７】
なお、このとき、表示部６７０には、電力値取得部６５０で算出された電力値が表示されている。
以降、電源タップ［０］の電力値送信部６６０は、タップＩＤ「０」を含むＯＦＦ信号を受信するまでの間（ステップＳ２４：ＮＯ）、最新の電力値を含ませた電力値信号を繰り返し送信することになる。
【００６８】
＜ＯＮからＯＦＦへ＞
次に、電源タップ［０］において行われていた電力供給が停止するまでの動作について図９を用いて説明する。
コントローラ１０１ａからのビーコン信号１１に基づいて、各ＬＦ送信機［０］〜［３］からＬＦ帯信号が送信されるところまでは、上記＜ＯＦＦからＯＮ＞で説明したのと同様である。
【００６９】
しかしながら、この例では、タグを所持する部署Ａの所属員が離席したため、このタグが、ＬＦ送信機［０］からのＬＦ帯信号２１を受信せず、ＵＨＦ帯信号を送信しない点で上記＜ＯＦＦからＯＮ＞の場合とは異なる。同図中の点線部分３１は、タグからのＵＨＦ帯信号が送信されなかったことを示している。
この結果、コントローラ１０１ａにおける制御部３２０の制御信号送信部３２３は、送信機ＩＤ「０」と対応する受信フラグテーブル３３６の受信フラグが「ＯＮ」であるため（図７のステップＳ２：ＮＯ、Ｓ８：ＹＥＳ）、この受信フラグを「ＯＦＦ」に更新し、制御対象テーブル３３５から取得した、送信機ＩＤ「０」と対応するタップＩＤ「０」を含ませたＯＦＦ信号６０を生成し、ＵＨＦ帯通信部３１０を介して送信する（ステップＳ９〜Ｓ１１）。
【００７０】
なお、コントローラ１０１ａにおける制御部３２０は、以降、ｉ＝１〜３についてループ処理（ステップＳ１、Ｓ１２）を行うが、上記＜ＯＦＦからＯＮ＞で説明したのと同様の理由から、制御信号送信部３２３による制御信号の送信は行われない。
また、ＵＨＦ帯通信部６２０を介して、タップＩＤ「０」を含むＯＦＦ信号６０を受信した電源タップ［０］（１０５ａ）の供給制御部６４０は、オス側コンセント６０３から各メス側コンセント６０１ａ〜６０１ｃへの電力供給を停止する（図８のステップＳ２４：ＹＥＳ、Ｓ２５）。
【００７１】
以降、電源タップ［０］の電力値送信部６６０は、タップＩＤ「０」を含むＯＮ信号を再び受信するまでの間（ステップＳ２０：ＹＥＳ）、電力値信号の送信を停止することになる。
このように、本実施の形態に係る電力供給制御システム１０００によれば、タグを用いてこのタグを所持する人の存在を管理し、このタグを所持する人が帰宅等した場合には、その人が使用する電気機器への電力供給を停止できるので、オフィス内の省エネを図ることができる。
【００７２】
なお、実施の形態及び下記変形例では、本発明に係る電源供給装置の一例として電源タップを用いて説明したが、これに限られず、例えば、壁面露出型の壁配線型電源コンセントであってもよい。
＜補足＞
以上、本発明に係る電力供給制御システムを、実施の形態に基づいて説明したが、以下のように変形することも可能であり、本発明は上述した実施の形態で示した通りの電力供給制御システムに限られないことは勿論である。
【００７３】
（１）実施の形態に係るコントローラ１０１ａは、電源タップ単位で電力供給を制御するものとして説明したが、１つの電源タップに含まれるメス側コンセント単位で電力供給を制御できるようにしてもよい。
この場合、制御対象テーブル３３５を以下のように変形する必要がある。
図１０は、この変形に係る制御対象テーブル３３７のデータ構成及び内容例を示す図である。
【００７４】
制御対象テーブル３３７は、同図に示すように、送信機ＩＤ３３５０と、タップＩＤ３３５１と、コンセントＩＤ３３７０を対応付けて構成される情報である。
ここで、送信機ＩＤ３３５０及びタップＩＤ３３５１は、制御対象テーブル３３５と同様のものであるため説明は省略する。
コンセントＩＤ３３７０は、対応するタップＩＤが示す電源タップにおけるメス側コンセントの識別情報である。
【００７５】
以下の説明では、図５に示すメス側コンセント６０１ａのコンセントＩＤが「０」であり、メス側コンセント６０１ｂのコンセントＩＤが「１」であり、メス側コンセント６０１ｃのコンセントＩＤが「２」であるものとする。
図１０は、例えば、タップＩＤが「０」である電源タップ（１０５ａ）のコンセントＩＤが「０」と「１」とである各メス側コンセント（６０１ａ、６０１ｂ）の電力供給の制御に用いられるＵＨＦ帯信号に含まれる送信機ＩＤは「０」であることを示している。
【００７６】
また、この場合、コントローラ１０１ａを、タップＩＤの他、コンセントＩＤを含ませた制御信号（ＯＮ信号、ＯＦＦ信号）を送信するよう変形する必要がある。
具体的には、図７のステップＳ６及びＳ１０を、この制御対象テーブル３３５を参照して、タップＩＤの他、送信機ＩＤに対応するコンセントＩＤを取得するよう変形し、ステップＳ７及びＳ１１を、この取得したコンセントＩＤを含ませた制御信号（ＯＮ信号、ＯＦＦ信号）を送信するよう変形する必要がある。
【００７７】
また、この場合、電源タップ１０５ａの供給制御部６４０を、オス側コンセント６０３からの電力供給を、メス側コンセント単位でＯＮ／ＯＦＦできるよう変形する必要がある。
なお、この場合、電力値送信部６６０による電力信号の送信及び表示部６７０による電力値の表示は、例えば、全てのメス側コンセントへの電力供給がＯＦＦになっている場合に限って行わないようにしてもよいし、全てのメス側コンセントへの電力供給がＯＮになっている場合に限って行うようにしてもよい。
【００７８】
（２）上記（１）で説明した制御対象テーブル３３７へのデータの登録は、電力供給制御システムの運用開始前に管理者が予め行うようにしてもよいが、電源タップが、対応する送信機ＩＤとタップＩＤとコンセントＩＤとからなるデータ（以下、「レコード」ともいう）を生成し送信し、このレコードを受信した、この変形に係るコントローラ（以下、「変形コントローラ」という）が、制御対象テーブル３３７へ登録するようにしてもよい。
【００７９】
このようにすることで、電力供給制御システムの管理者による設定の手間を削減することができる。
以下、この変形に係る電源タップを「変形電源タップ」という。
変形電源タップは、例えば、ディップスイッチなどの設定手段を用いて、レコードの生成及び送信を行うためのモード（以下、「登録モード」という）に切り替えることが可能なものである。
【００８０】
また、登録モードに設定されている場合において、変形電源タップは、自機の電力供給の制御に用いられるべき送信機ＩＤを、上記設定手段を用いて設定することができる。
また、変形電源タップは、メス側コンセント（６０１ａ〜６０１ｃ）毎に、電気機器からのコンセントが挿入されているか否かを検出する検出手段と、レコードを含ませたＵＨＦ帯信号（以下、「登録信号」という）を送信する登録信号送信手段を備えている。
【００８１】
電気機器のユーザが、この電気機器のコンセントをいずれかのメス側コンセントに挿入すると、上記検出手段がこの挿入を検出し、上記登録信号送信手段は、検出に係るメス側コンセントのコンセントＩＤと、上記設定手段により設定されている送信機ＩＤと、自機のタップＩＤとからなるレコードを含み、そのレコードの登録を指示するためのＵＨＦ帯信号（登録信号）を送信する。
【００８２】
（３）実施の形態に係る電源タップ１０５ａは、電力値信号を送信する機能及び電力値をＬＣＤに表示する機能を有するものとして説明したが、これらの機能のうちいずれか、又は両方を有さないよう変形してもよい。
即ち、電源タップの機能として、これらの機能は必須ではなく、コントローラ１０１ａからの制御信号に基づいて、オス側コンセント６０３から各メス側コンセントへの電力供給を制御する機能を有すれば足りる。
【００８３】
なお、実施の形態に係るサーバ１０８は、コントローラから受信した電力値及びタップＩＤ６３１を受信日時等の情報と対応付けて管理するものとして説明したが、上述のように、電源タップ１０５ａを、電力値信号を送信する機能を有しないように変形した場合、電力供給制御システムの構成には、サーバ１０８が含まれないこととしてもよい。
（４）実施の形態に係るコントローラ１０１ａは、タグからＵＨＦ帯信号を受信しなくなると、すぐにＯＦＦ信号を送信するものとして説明したが、すぐにはＯＦＦ信号を送信しないようにしてもよい。
【００８４】
例えば、タグからＵＨＦ帯信号を受信しなくなってから所定時間が経過した後にＯＦＦ信号を送信するようにしてもよいし、タグから複数回以上ＵＨＦ帯信号を受信しなくなった場合にＯＦＦ信号を送信するようにしてもよい。
また、実施の形態に係るコントローラ１０１ａは、タグからＵＨＦ帯信号を受信しなくなると必ずＯＦＦ信号を送信するものとして説明したが、タグからＵＨＦ帯信号を受信しなくなった場合でも、一定条件下で、ＯＦＦ信号を送信しないようにしてもよい。
【００８５】
例えば、タグからのＵＨＦ帯信号を受信しなくなった日が予め定められた日（例えば、平日）である場合や、タグからのＵＨＦ帯信号を受信しなくなった時刻が、予め定められた時間帯（例えば、平日の８：００〜２０：００）に含まれている場合には、ＯＦＦ信号を送信しないようにしてもよい。なお、この予め定められた日や時間帯を一律に決定するのではなく、部署毎やタグの所有者毎に決定できるようにしてもよい。
【００８６】
また、例えば、いわゆる入退室管理システムと連動させ、在室者が存在する間は、ＯＦＦ信号を送信しないようにしてもよい。
このように、タグからＵＨＦ帯信号を受信しなくなっても、すぐにはＯＦＦ信号を送信しないようにしたり、一定条件下で、ＯＦＦ信号を送信しないようにすることにより、タグを所持する人が、一旦離席してもすぐに戻るような場合に、この人が使用する電気機器への電力供給が継続されるようにし、利便性を向上させることができる。
【００８７】
（５）実施の形態に係る電力供給制御システム１０００では、ＬＦ送信機と電源タップとは別々の装置であり、それぞれがＵＨＦ帯の信号を受信するための受信手段を備えるものとして説明したが、ＬＦ送信機と電源タップとを１つの筐体として構成するよう変形し、又は有線で接続するよう変形することで、受信手段を共有するようにしてもよい。
例えば、図５に示す電源タップのＵＨＦ帯通信部６２０を共有するようにし、図３に示すＬＦ送信機における制御部４２０は、このＵＨＦ帯通信部６２０を介してビーコン信号を受信するように構成してもよい。この場合、図３に示すＬＦ送信機におけるＵＨＦ帯受信部４００は不要になる。
【００８８】
また、例えば、図３に示すＬＦ送信機におけるＵＨＦ帯受信部４００に代えて、ＵＨＦ帯の信号を送受信可能なＵＨＦ帯通信部を備えるようＬＦ送信機を変形し、このＵＨＦ帯通信部を共有するようにしてもよい。この場合、この共有に係るＵＨＦ帯通信部を介して、図５に示す電源タップの供給制御部６４０、電力値取得部６５０、電力値送信部６６０は、ＵＨＦ帯の信号の授受を行うことになり、ＵＨＦ帯通信部６２０は不要になる。
【００８９】
（６）実施の形態に係るコントローラ１０１ａは、電源タップに対して電力供給のＯＮ／ＯＦＦを制御するための制御信号を送信するものとして説明したが、更に、例えば、空調や照明を制御するためのシステムに対してもＯＮ／ＯＦＦを制御するための制御信号を送信するようにしてもよい。これにより、更なる省エネを図ることができる。
また、タグからＵＨＦ帯信号の送信があった後においては、そのＵＨＦ帯信号に含まれている送信機ＩＤが示すＬＦ送信機によるＬＦ帯信号の送信間隔を延長するよう制御することで、更なる省エネを図るようにしてもよい。
【００９０】
また、ＵＨＦ帯信号を送信したタグについても、所定時間、電力消費を低減させることが可能なスリープモードに移行するようにすることで、電池５５０の寿命を延ばすようにしてもよい。
（７）実施の形態に係る電源タップ１０５ａの電力値送信部６６０は、電力値取得部６５０で算出された、各電力計測部（６１０ａ〜６１０ｃ）で取得した消費電力の合計値（電力値）を電力値信号に含ませて送信するものとして説明したが、各電力計測部（６１０ａ〜６１０ｃ）で取得した消費電力の組を電力値信号に含ませて送信するようにしてもよい。
【００９１】
（８）また、以下のように変形してもよい。
（Ａ）タグＩＤ個別ごとに応じて、電源オンオフ対象とする電源タップ（又は壁配線型電源コンセント）１台ずつを電源導通オンオフ制御してもよいし、（Ｂ）更に、電源タップ（又は壁配線型電源コンセント）１台ずつにとどまらず、タグＩＤ個別ごとに応じて、電源タップ（又は壁配線型電源コンセント）を構成するコンセント１個ずつを個別に電源導通オンオフ制御してもよい。
【００９２】
（Ｃ）また、タグＩＤとそれを捕捉したＬＦアンテナの送信機ＩＤとの組み合わせに応じて、（Ａ）と同じく、電源オンオフ対象とする電源タップ（又は壁配線型電源コンセント）１台ずつを電源導通オンオフ制御してもよいし、（Ｄ）更にまた、タグＩＤとそれを捕捉したＬＦアンテナの送信機ＩＤとの組み合わせに応じて、タグＩＤ個別ごとに応じて、電源タップ（又は壁配線型電源コンセント）を構成するコンセント１個ずつを個別に電源導通オンオフ制御してもよい。
【００９３】
（Ｅ）以上、（Ａ）（Ｂ）（Ｃ）（Ｄ）のいずれの場合でも、タグからコントローラ１０１へ直接的に無線で連絡するに限らず、タグから発するＵＨＦ電波を受けたいずれかのＬＦアンテナの送信機が、コントローラ１０１へ中継転送するようにしてもかまわない。こうするためには、ＬＦアンテナの送信機からコントローラ１０１への中継転送の手順を、衝突を起こさぬよう、例えば時分割にてシーケンスを組む必要があり、そのシーケンスがあれば、コントローラ１０１が、タグから発するＵＨＦ電波を受信し損なっても、その後にＬＦアンテナの送信機から中継転送を受ける機会が与えられることになる。
【００９４】
（９）実施の形態に係るコントローラ１０１ａによる制御信号送信処理（図７）において、ステップＳ３とＳ４の処理の間に、以下の処理を追加するようにしてもよい。
即ち、ステップＳ３において、肯定的な判定がなされた場合に（ステップＳ３：ＹＥＳ）、コントローラ１０１ａは、受信した送信機ＩＤと受信フラグテーブル３３６において対応付けられているタップＩＤが示す電源タップに対し、オス側コンセント６０３から各メス側コンセント６０１ａ〜６０１ｃへの電力供給が行われているか否かを示す情報を含むＵＨＦ帯信号（以下、「状態信号」という）の送信を要求する信号をＵＨＦ帯で送信する。
【００９５】
このコントローラ１０１ａからの信号に応じて、この電源タップから送信された状態信号を受信したコントローラ１０１ａは、この状態信号が、オス側コンセント６０３から各メス側コンセント６０１ａ〜６０１ｃへの電力供給が行われていない旨を示す場合には、ステップＳ４の処理に進み、オス側コンセント６０３から各メス側コンセント６０１ａ〜６０１ｃへの電力供給が行われている旨を示す場合には、ステップＳ１２に進む。
【００９６】
（１０）実施の形態において説明した各機器における各構成要素のうち、全部又は一部を１チップ又は複数チップの集積回路で実現してもよいし、コンピュータのプログラムで実現してもよいし、その他どのような形態で実現してもよい。
（１１）実施の形態において説明した各機器による処理（例えば、図７に示すコントローラ１０１ａによる制御信号送信処理や、図８に示す電源タップ１０５ａによる制御処理等）をプロセッサに実行させるためのプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示した各機器の機能が実現される。
【００９７】
（１２）実施の形態に係る電力供給制御システムに、上記（１）〜（１１）の一部又は全部の変形を組み合わせて適用してもよい。
（１３）以下、更に本発明の一実施形態に係る電力供給制御システムの構成及び効果について説明する。
本発明に係る電力供給制御システムは、第１周波数帯信号を送信する送信機と、ユーザに所持され、前記送信機からの第１周波数帯信号を受信可能なエリアに存在する場合に、当該第１周波数帯信号に呼応して第２周波数帯信号を送信するタグと、接続する外部機器へ電力供給を行うための電源供給装置と、コントローラとを備える電力供給制御システムであって、前記コントローラは、前記タグからの第２周波数帯信号を受信する受信手段と、前記受信手段により、第２周波数帯信号が受信されたか否かを判定する判定手段と、前記判定手段により第２周波数帯信号が受信されなかった旨の判定がなされたことを含む一定条件を満たす場合に、前記電源供給装置へ所定の制御信号を送信する制御信号送信手段とを備え、前記電源供給装置は、前記制御信号を受信した際に、前記外部機器への電力供給を停止することを特徴とする。
【００９８】
この電力供給制御システムによれば、タグを所持するユーザが、送信機からの第１周波数帯信号を受信可能なエリアの外に移動した場合に、このタグは第２周波数帯信号を送信しなくなるため、コントローラから電源タップに対する制御信号が送信され得る。
制御信号が送信された場合、電源タップは、外部機器への電力供給を停止するため、この電源タップにオフィス等で使用される様々な電気機器を接続しておくことで、無駄に生じていた電力消費を抑制することが可能になる。
【符号の説明】
【００９９】
１００    イーサネット（登録商標）ケーブル
１０１ａ、１０１ｂ  コントローラ
１０２ａ〜１０２ｈ  ＬＦ送信機
１０５ａ〜１０５ｈ  電源タップ
１０６ａ〜１０６ｈ  電気機器
１０８    サーバ
３１０、６２０    ＵＨＦ帯通信部
３１１、４０１、５２１、６２１    ＵＨＦアンテナ
３２０、４２０、５３０    制御部
３２１    ビーコン送信部
３２２    判定部
３２３    制御信号送信部
３２４    電力量通知部
３３０、４３０、５４０、６３０    記憶部
４００    ＵＨＦ帯受信部
４１０    ＬＦ帯送信部
４１１、５１１    ＬＦアンテナ
５００    タグ
５１０    ＬＦ帯受信部
５２０    ＵＨＦ帯送信部
５５０    電池
６０１ａ〜６０１ｃ  メス側コンセント
６０２ａ〜６０２ｃ  ＳＷ
６０３    オス側コンセント
６１０ａ〜６１０ｃ  電力計測部
６４０    供給制御部
６５０    電力値取得部
６６０    電力値送信部
６７０    表示部
１０００    電力供給制御システム
【図１】
2012055097.tif 000003
【図２】
2012055097.tif 000004
【図３】
2012055097.tif 000005
【図４】
2012055097.tif 000006
【図５】
2012055097.tif 000007
【図６】
2012055097.tif 000008
【図７】
2012055097.tif 000009
【図８】
2012055097.tif 000010
【図９】
2012055097.tif 000011
【図１０】
2012055097.tif 000012